(57)【要約】本発明は、４本以上の偶数本のガラス管（３、６）を有する蛍光ランプであって、これらガラス管はそれぞれ橋絡部（５、９、１０）により連結されてこれらガラス管を通る放電路を形成しているこの蛍光ランプが、２つ以上の二重形状ランプ部分（１、２）から構成され、各二重形状ランプ部分は、互いに平行でほぼまっすぐな２本のガラス管（３又は６）であってそれぞれ封止端部を有しているこれらガラス管と、これら封止端部の付近でこれら２本のガラス管を連結する橋絡部（５又は９）とを具え、１つの二重形状ランプ部分（１）の橋絡部（５）がそのガラス管（３）の封止端部（４）から距離ｄ１に位置し、他の二重形状ランプ部分（２）の橋絡部（９）がそのガラス管（６）の封止端部（７）から距離ｄ２に位置し、１つの二重形状ランプ部分（１）の管端部内にのみコールドスポット（８）が形成されるように距離ｄ２が距離ｄ１よりも短くなっている当該蛍光ランプを提供する。
2004518247.tif 000002
【特許請求の範囲】
【請求項１】
４本以上の偶数本のガラス管を有する蛍光ランプであって、これらガラス管はそれぞれ橋絡部により連結され、それぞれ１本のガラス管内に設けられた２つの電極間でガラス管を通る放電路を形成しているこの蛍光ランプが、
互いに平行でほぼまっすぐな２本のガラス管であってそれぞれ封止端部を有しているこれらガラス管と、これら封止端部の付近でこれら２本のガラス管を連結する第１橋絡部とを具える第１の二重形状ランプ部分と、
互いに平行でほぼまっすぐな２本のガラス管であってそれぞれ封止端部を有しているこれらガラス管と、これら封止端部の付近でこれら２本のガラス管を連結する第２橋絡部とを具える少なくとも１つの第２の二重形状ランプ部分と、
前記第１及び第２の二重形状ランプ部分を、これらの封止端部側とは反対側のガラス管の端部付近で互いに連結する橋絡部と
を有する当該蛍光ランプにおいて、
前記第１の二重形状ランプ部分の前記第１橋絡部がそのガラス管の封止端部から距離ｄ１に位置し、前記第２の二重形状ランプ部分の前記第２橋絡部がそのガラス管の封止端部から距離ｄ２に位置し、前記第１の二重形状ランプ部分の管端部内にのみコールドスポットが形成されるように距離ｄ２が距離ｄ１よりも短くなっていることを特徴とする蛍光ランプ。
【請求項２】
４本以上の偶数本のガラス管を有する蛍光ランプであって、これらガラス管はそれぞれ橋絡部により連結され、それぞれ１本のガラス管内に設けられた２つの電極間でガラス管を通る放電路を形成している当該蛍光ランプを製造するに当り、
ａ）  互いに平行でほぼまっすぐな２本のガラス管であってそれぞれ一端で封止されているこれらガラス管を形成し、封止された前記一端の付近でこれらガラス管を第１橋絡部で連結することにより、１つの第１の二重形状ランプ部分を製造する工程と、
ｂ）  互いに平行でほぼまっすぐな２本のガラス管であってそれぞれ一端で封止されているこれらガラス管を形成し、封止された前記一端の付近でこれらガラス管を第２橋絡部で連結することにより、少なくとも１つの第２の二重形状ランプ部分を製造する工程と、
ｃ）  前記第１及び第２の二重形状ランプ部分を、これらの封止された一端の側とは反対側のガラス管の端部付近で橋絡部により互いに連結する工程と
を有する蛍光ランプの製造方法において、
前記工程ａ）中で、前記第１橋絡部を、封止されたガラス管の前記一端から距離ｄ１に配置し、前記工程ｂ）中で、前記第２橋絡部を、封止されたガラス管の前記一端から距離ｄ２に配置し、前記第１の二重形状ランプ部分の管端部内にのみコールドスポットが形成されるように距離ｄ２を距離ｄ１よりも短くすることを特徴とする蛍光ランプの製造方法。
【発明の詳細な説明】
【０００１】
本発明は、請求項１の前段部分に記載した４本以上の偶数本のガラス管を有する蛍光ランプに関するものである。本発明は更に、このような蛍光ランプの製造方法にも関するものである。
【０００２】
８本のガラス管を有する蛍光ランプを製造する方法は、英国特許公開第 ２３３５５３８号明細書に記載されている。この蛍光ランプは、予め製造された４つの二重管（２本連結管）から組み立てられている。二重管は、各々が一端で封止されている２本の平行なガラス管から製造されている。これらガラス管は封止された前記一端の付近で橋絡部により互いに連結されている。この橋絡部と封止された前記一端との間の距離は、双方の管の端部内にコールドスポットが形成されるような寸法となっている。これらのコールドスポットは水銀蒸気圧を制御するためのものであり、水銀蒸気圧としてランプのルーメン出力、すなわち、ランプの効率を決定する。完成した蛍光ランプでは、コールドスポットの個数はガラス管の本数と等しい。すなわち、英国特許公開第 ２３３５５３８号明細書におけるランプには、８個のコールドスポットがある。水銀蒸気圧を制御するために必要とするコールドスポットを１つよりも多く形成することは、ガラス管の発光領域を犠牲にすることであり、これにより光束を低く又はランプ長を長くする。
【０００３】
本発明の目的は、上述した欠点が生じない改善した蛍光ランプを提供することにある。
【０００４】
この目的は、本発明によれば、請求項１の前段部分に記載した蛍光ランプにおいて、前記第１の二重形状ランプ部分の前記第１橋絡部がそのガラス管の封止端部から距離ｄ１に位置し、前記第２の二重形状ランプ部分の前記第２橋絡部がそのガラス管の封止端部から距離ｄ２に位置し、前記第１の二重形状ランプ部分の管端部内にのみコールドスポットが形成されるように距離ｄ２が距離ｄ１よりも短くなっていることを特徴とする蛍光ランプにより達成される。１つの二重形状ランプ部分しかコールドスポットを有さず、他の二重形状ランプ部分は完全にその全長をガス放電、すなわち、発光領域に利用する為、ルーメン出力が高くなるか、又はランプの全長が短くなる。
【０００５】
本発明は、請求項２に規定した蛍光ランプの製造方法にも関するものである。
【０００６】
本発明を添付図面につき以下に説明する。
図１は、８管型ランプに対する１つの第１の二重形状ランプ部分１及び３つの第２の二重形状ランプ部分２を線図的に示す。第１の二重形状ランプ部分１はほぼまっすぐで互いに平行な２本の管を有する。各管は１つの封止端部４を有している。２本の管３は、封止端部４の付近で第１橋絡部５により連結されている。この第１橋絡部５は、管３の封止端部４から距離ｄ１に位置している。第２の二重形状ランプ部分２の各々は互いに平行な２本の管６を有し、これらの管は一端に封止端部７を有する。２本の管６は、封止端部７から距離ｄ２に位置する第２橋絡部９により互いに連結されている。第１の二重形状ランプ部分１の管端部内にのみコールドスポット８が形成されるように、距離ｄ２を距離ｄ１よりも短くする。
【０００７】
図２及び３は、二重形状ランプ部分１、２から形成された８管型ランプの頂面図及び正面図をそれぞれ示す。二重形状ランプ部分１、２からランプを製造するには、これら二重形状ランプ部分を、管３、６の封止端部４、７の側とは反対側のこれら管の端部で橋絡部１０により互いに連結する。最後に、管３、６のアセンブリを、ネジ山１２が設けられた口金１１内に配置する。
【０００８】
図４は、図２のＩＶ−ＩＶ線に沿う断面図である。コールドスポット８は図４の右側の第１の二重形状ランプ部分１内に位置する。管３、６は橋絡部５、９、１０により互いに連結されている為、１本の管内に１つずつ設けた２つの電極１３間で橋絡部５、９、１０を経て放電路が形成される。第１の二重形状ランプ部分１のみがコールドスポット８を有する為、他の３つの二重形状ランプ部分２の管６はその全長をガス放電、すなわち、発光領域に用い、その結果、各管に１つのコールドスポットで合計８つのコールドスポットを有する従来既知の８管型ランプに比べてルーメン出力が高くなる。
【図面の簡単な説明】
【図１】本発明の一実施例による８管型ランプに対する４つの二重形状ランプ部分を示す線図である。
【図２】前記８管型ランプの頂面図である。
【図３】前記８管型ランプの正面図である。
【図４】図２のＶＩ−ＶＩ線に沿う断面図である。
【国際公開パンフレット】
2004518247.tif 000003
2004518247.tif 000004
2004518247.tif 000005
2004518247.tif 000006
2004518247.tif 000007
2004518247.tif 000008
2004518247.tif 000009
2004518247.tif 000010
2004518247.tif 000011
【国際調査報告】
2004518247.tif 000012
2004518247.tif 000013